(57)【特許請求の範囲】
【請求項１】
車両の状態量を表示する車両用表示装置であって、
光源部（５４，６４）、投射部（５６，６６）、及び指標表示部（５８，６８）を１組有し、前記光源部からの光を前記投射部が前記指標表示部に表示される指標（５８ａ，６８ａ）へ向けて開口窓（７２ａ，７２ｂ）を通じて投射光（ＰＬ１，ＰＬ２）として投射することで、前記状態量を表示可能に形成された複数の表示ユニット（５２，６２）と、
各前記表示ユニットの各前記投射部を収容すると共に、回動可能に形成された回転指示体（７０）と、
前記表示ユニットを切り替える切替部（８６）と、
画像を表示する画像表示パネル（４２）を有し、前記画像表示パネルのうち前記回転指示体側の一部に、複数の前記表示ユニットのうち１つにおける前記指標表示部との共有エリア（ＪＡ）が設けられ、前記共有エリアに前記指標を表示可能な画像表示部（４０）と、
複数の前記表示ユニットのうち他の１つにおける前記指標表示部の前記指標を形成した表示板（２５）と、を備え、
各前記表示ユニットは、対応する前記光源部が点灯している場合、前記回転指示体の回動により前記投射光の投射方向（ＤＰ１，ＤＰ２）を移動させることで、表示された前記指標のうち任意の箇所を指示して前記箇所に応じた前記状態量を表示し、
前記切替部は、各前記光源部のうち１つを点灯させ、それ以外を消灯させるように、点灯対象の前記光源部を切り替えることで、表示を行なう前記表示ユニットを切り替え、
前記回転指示体の回転軸（７４）と前記開口窓とを含む断面上において、前記回転軸の軸方向に対して前記投射方向がなす角を、投射角と定義すると、
前記共有エリアに前記指標を表示可能な前記表示ユニットに属する前記投射部の前記投射角は、前記表示板に前記指標を形成した前記表示ユニットに属する前記投射部の前記投射角よりも、大きくなっている車両用表示装置。
【請求項２】
各前記指標表示部は、対応する前記光源部の消灯と連動して、前記指標を非表示状態とする請求項１に記載の車両用表示装置。
【請求項３】
互いに異なる前記表示ユニットに属する前記指標表示部が表示する前記指標は、互いに前記回転指示体からの距離（Ｄ１，Ｄ２）が異なる位置に表示され、
互いに異なる前記表示ユニットに属する前記投射部は、対応する前記指標の前記位置に合わせて前記投射角を異ならせている請求項１又は２に記載の車両用表示装置。
【請求項４】
各前記光源部は、遮光性の遮光壁（５５，６５）により互いに隔てられている請求項１から３のいずれか１項に記載の車両用表示装置。
【請求項５】
各前記投射部は、透光性を有する共通の導光部材（７８）により一体的に形成され、前記導光部材に各前記投射部毎に設けられた反射面（５６ａ，６６ａ）での反射により、前記投射光を投射するものであって、
前記導光部材は、各前記投射部を区画する空洞部（７８ａ）を有する請求項１から４のいずれか１項に記載の車両用表示装置。
【請求項６】
前記共有エリアには、対応する前記光源部が消灯している場合、前記指標以外の画像（ＷＩ）が表示される請求項１から５のいずれか１項に記載の車両用表示装置。
【請求項７】
前記指標以外の画像は、警報に関する画像である請求項６に記載の車両用表示装置。
【発明の詳細な説明】
【技術分野】
【０００１】
本発明は、車両の状態量を表示する車両用表示装置に関する。
【背景技術】
【０００２】
従来、車両の状態量を表示する車両用表示装置が知られている。特許文献１に開示の車両用表示装置では、複数の指標表示部と、実体の指針を有し、回動可能に形成された回転指示体と、指標表示部を切り替える切替部とを備えている。複数の指標表示部は、実体の指針により指示される指標を、互いに分離した角度範囲に形成している。これにより、指針がどの指標表示部を指示しているかを、容易に認識させることができる。
【先行技術文献】
【特許文献】
【０００３】
【特許文献１】特開２００９−１２８２４２号公報
【発明の概要】
【発明が解決しようとする課題】
【０００４】
特許文献１では、複数の指標表示部の切替時に、指示に供される実体の指針が切替後の指標表示部に対応した角度に回動する。しかしながら、指針の回動という、一般的かつ通常時の指示において行われる動作と同様の切替動作では、切替時のインパクトが小さい。このため、視認者が表示の切替に気付き難いことが懸念されている。
【０００５】
本発明は、以上説明した問題に鑑みてなされたものであって、その目的は、視認者が表示の切替に気付き易い車両用表示装置を提供することにある。
【課題を解決するための手段】
【０００６】
本発明は、車両の状態量を表示する車両用表示装置であって、
光源部（５４，６４）、投射部（５６，６６）、及び指標表示部（５８，６８）を１組有し、光源部からの光を投射部が指標表示部に表示される指標（５８ａ，６８ａ）へ向けて開口窓（７２ａ，７２ｂ）を通じて投射光として投射することで、状態量を表示可能に形成された複数の表示ユニット（５２，６２）と、
各表示ユニットの各投射部を収容すると共に、回動可能に形成された回転指示体（７０）と、
表示ユニットを切り替える切替部（８６）と、
画像を表示する画像表示パネル（４２）を有し、画像表示パネルのうち回転指示体側の一部に、複数の表示ユニットのうち１つにおける指標表示部との共有エリア（ＪＡ）が設けられ、共有エリアに指標を表示可能な画像表示部（４０）と、
複数の表示ユニットのうち他の１つにおける指標表示部の指標を形成した表示板（２５）と、を備え、
各表示ユニットは、対応する光源部が点灯している場合、回転指示体の回動により投射光の投射方向（ＤＰ１，ＤＰ２）を移動させることで、表示された指標のうち任意の箇所を指示して当該箇所に応じた状態量を表示し、
切替部は、各光源部のうち１つを点灯させ、それ以外を消灯させるように、点灯対象の光源部を切り替え、
回転指示体の回転軸（７４）と開口窓とを含む断面上において、回転軸の軸方向に対して投射方向がなす角を、投射角と定義すると、
共有エリアに指標を表示可能な表示ユニットに属する投射部の投射角は、表示板に指標を形成した表示ユニットに属する投射部の投射角よりも、大きくなっていることで、表示を行なう表示ユニットを切り替える。
【０００７】
このような発明によると、各表示ユニットは、それぞれ１組の光源部、投射部、及び指標表示部を有している。光源部からの光を投射部が指標表示部に表示される指標へ向けて投射光として投射する表示ユニットは、対応する光源部が点灯している場合、回転指示体の回動により投射光の投射方向を移動することで、対応する指標のうち任意の箇所を指示して当該箇所に応じた状態量を表示する。
【０００８】
一方、表示を行なう表示ユニットの切替時には、切替部が各光源部のうち１つを点灯させ、それ以外を消灯させるように、点灯対象の光源部を切り替える。このように、斬新な投射光による指示が行われるだけでなく、通常時の回転指示体の回動とは異なる切替動作として、点灯対象の光源部の変更により、指示に供される当該投射光が切替わるので、切替時に視認者に与えるインパクトが大きくなる。したがって、視認者が表示の切替に気付き易い車両用表示装置を提供することができる。
【０００９】
なお、括弧内の符号は、記載内容の理解を容易にすべく、後述する実施形態において対応する構成を例示するものに留まり、発明の内容を限定することを意図したものではない。
【図面の簡単な説明】
【００１０】
【図１】一実施形態における車両用表示装置を示す正面図である。
【図２】図１のII−II線断面図である。
【図３】図１のIII部の部分拡大図である。
【図４】図３のIV−IV線断面図である（図２の部分拡大図でもある）。
【図５】図１のV部の部分拡大図である。
【図６】図５のVI−VI線断面図である（図２の部分拡大図でもある）。
【図７】一実施形態における回転指示体（ステッピングモータを除く）及び導光部材の側面図である。
【図８】一実施形態における車両用表示装置の一部構成を模式的に示すブロック図である。
【図９】一実施形態の車両用表示装置によるフローチャートである。
【図１０】一実施形態において表示を行なう表示ユニットが表示ユニット５２である場合の表示例を示す正面図である。
【図１１】一実施形態において表示を行なう表示ユニットが表示ユニット６２である場合の表示例を示す正面図である。
【発明を実施するための形態】
【００１１】
以下、本発明の一実施形態を図面に基づいて説明する。
【００１２】
本発明の一実施形態における車両用表示装置１００は、車両に搭載され、視認者が着座する座席と対向するインストルメントパネルに設置されている。車両用表示装置１００は、図１，２に示すように、視認者が位置する視認側に向けて車両の状態量を表示可能となっている。
【００１３】
このような車両用表示装置１００は、ケース部１０、基板２０、円形表示部３０、画像表示部４０、切替表示部５０、及び制御回路８０等により構成されている。
【００１４】
ケース部１０は、図２に示すように、背面ケース１２、見返し板１４、及び透光板１６を有している。背面ケース１２は、例えば遮光性を有する合成樹脂により形成され、基板２０、制御回路８０、ステッピングモータ３６ｄ等を背面側から覆い、基板２０、及び基板よりも視認側に配置される表示板２５（一般的には文字板とも呼ばれる）等を保持している。見返し板１４は、例えば遮光性を有する合成樹脂により形成され、装置１００の外周輪郭に沿って視認側に開口部を有する筒状に形成されている。透光板１６は、例えば着色されたアクリル樹脂等の半透光性樹脂により、見返し板１４の開口部を塞ぐ板状に形成されることで、円形表示部３０、画像表示部４０、及び切替表示部５０等を視認側から覆っている。
【００１５】
基板２０は、背面ケース１２と締結されること等により背面ケース１２よりも視認側に配置され、例えばガラスエポキシ樹脂等の合成樹脂により平板状に形成されている。基板２０は、制御回路８０を実装すると共に、投射用光源部３２，５４，６４、及びステッピングモータ３６ｄ，７６等を保持している。
【００１６】
円形表示部３０は、図１，２に示すように、装置１００において視認者から見た左側に配置され、車両の状態量として、例えばエンジン回転数を表示可能に構成されている。具体的に図３，４にも示すように、円形表示部３０は、投射用光源部３２、投射部３４、回転指示体３６、及び円環凸部３８を有している。
【００１７】
投射用光源部３２は、基板２０上に配置された複数の発光素子を有している。特に本実施形態において発光素子は、発光ダイオード素子であり、制御回路８０を通して電源と接続されることで発光する。このような投射用光源部３２は、投射部３４に向けて光を照射する。
【００１８】
投射部３４は、表示板２５よりも視認側に配置されている。具体的に投射部３４は、例えば合成樹脂により透光性を有して形成された導光部材となっている。
【００１９】
回転指示体３６は、キャップ３６ａ、回転軸３６ｃ、及びステッピングモータ３６ｄを有している。キャップ３６ａは、例えば合成樹脂により遮光性を有した有底円筒状に形成され、投射部３４を内部に収容している。また、キャップ３６ａは、筒側面において、投射部３４を収容した内部から外部に開口する開口窓３６ｂを有している。投射部３４に形成された反射面３４ａが開口窓３６ｂを向くことで、投射用光源部３２から投射部３４に入射した光は、反射面３４ａに反射されて、開口窓３６ｂから投射光ＰＬ０として投射される。
【００２０】
ここで、投射部３４を形成する導光部材が回転軸３６ｃを介してステッピングモータ３６ｄと連結されることで、回転指示体３６は投射部３４と共に、回転軸３６ｃまわりに回動可能となっている。これにより開口窓３６ｂの方向が移動することで、投射光ＰＬ０の投射方向ＤＰ０が移動する。
【００２１】
円環凸部３８は、平板状の表示板の一部を圧空成形により変形させることで、表示板２５の他の部分よりも視認側に突出した凸状に形成されている。より詳細に、円環凸部３８は、回転指示体３６を中心とした円環状に形成されている。表示板２５において円環凸部３８の内周側から平面状箇所に連続して、例えば印刷等により、指標３８ａとしての目盛が形成されている。投射部３４がこの指標３８ａに向けて投射光ＰＬ０を投射することで、車両の状態量としてのエンジン回転数が表示される。
【００２２】
なお、図４では、投射用光源部３２から指標３８ａに向かう光が細線の矢印で示されている。
【００２３】
画像表示部４０は、図１，２に示すように、装置１００において中央部に配置され、画像表示パネル４２を有している。画像表示パネル４２は、画像を表示するパネル状の表示素子である。本実施形態では、薄膜トランジスタ（Thin Film Transistor、ＴＦＴ）を用いた液晶パネルであって、２次元方向に配列された複数の液晶画素から形成されるアクティブマトリクス型の液晶パネルが採用されている。ここで画像表示パネル４２の視認側表面である表示面４２ａには、例えば微細な凹凸が形成されている。また、表示面４２ａの視認側を表示板２５の開口により露出している。
【００２４】
なお、画像表示パネル４２としては、液晶パネル以外の有機ＥＬパネル等が採用されてもよい。
【００２５】
切替表示部５０は、図１，２に示すように、装置１００において視認者からみた右側に配置され、車両の状態量として、例えば燃料残量を表示可能に構成されている。切替表示部５０は、複数の表示ユニット５２，６２（本実施形態では２つ）及び回転指示体７０を備えている。各表示ユニット５２，６２は、それぞれ１組ずつの投射用光源部５４，６４、投射部５６，６６、及び指標表示部５８，６８を有しており、車両の状態量として例えば燃料残量を表示可能に形成されている。
【００２６】
各表示ユニット５２，６２の各投射部５６，６６は、図５，６に拡大して示すように、表示板２５よりも視認側に配置され、例えば合成樹脂により透光性を有する共通の導光部材７８により一体的に形成されている。導光部材７８は、各投射部５６，６６を区画する空洞部７８ａを有している。本実施形態において空洞部７８ａは、導光部材７８の視認側表面から背面側に凹み、当該導光部材７８の中央を横切るようにして配置された細長い空洞となっている。空洞部７８ａの長さ寸法は、投射部５６，６６毎に設けられた反射面５５ａ，５６ａについて、反射面５６ａの端部間の寸法及び反射面６６ａの端部間の寸法よりも大きく設定されている。
【００２７】
ここで回転指示体７０は、キャップ７２、回転軸７４、及びステッピングモータ７６を有している。キャップ７２は、例えば合成樹脂により遮光性を有した有底円筒状に形成され、各表示ユニット５２，６２の各投射部５６，６６を内部に収容している。また、キャップ７２は、図７にも示すように、筒側面において、投射部５６，６６を収容した内部から外部に開口する複数の開口窓７２ａ，７２ｂを有している。開口窓７２ａ，７２ｂは、各投射部５６，６６に対応して表示ユニット５２，６２と同数である２つ設けられている。本実施形態において２つの開口窓７２ａ，７２ｂは、互いに筒側面の真逆の位置に設けられている。
【００２８】
そして、図６に示すように、各投射部５６，６６を形成する導光部材７８が回転軸７４を介してステッピングモータ７６と連結されることで、導光部材７８を介してキャップ７２と回転軸７４とが固定されている。そして、回転指示体７０は投射部５６，６６と共に、回転軸７４まわりに回動可能となっている。
【００２９】
ここで、図５，６を用いて表示ユニット５２について詳細を説明する。表示ユニット５２の投射用光源部５４は、基板２０上に配置された複数の発光素子を有している。特に本実施形態において発光素子は、発光ダイオード素子であり、制御回路８０を通して電源と接続されることで発光する。このような投射用光源部５４は、表示ユニット５２の投射部５６に向けて光を照射可能となっている。
【００３０】
投射用光源部５４から投射部５６に至る光路のうち、基板２０から表示板２５までの間は、遮光壁５５に囲まれている。遮光壁５５は、例えば合成樹脂により、遮光性の半円筒状に形成され、投射用光源部５４からの光が遮光壁５５より外側に漏光することを遮光により防止している。表示板２５が透光性を有していることにより、投射用光源部５４の光は、表示板２５を透過して投射部５６に入射するようになっている。
【００３１】
表示ユニット５２の投射部５６は、空洞部７８ａよりも回転指示体７０内部の右側に配置され、対応する開口窓７２ａを向く反射面５６ａを有している。反射面５６ａは、回転指示体７０の回転軸７４を中心とした部分円弧状の滑らかな平面として、回転指示体７０の径方向に２分割されて設けられている。こうして投射部５６は、投射用光源部５４からの光を反射面５６ａにより反射することにより、開口窓７２ａから指標表示部５８へ向けて投射光ＰＬ１として投射するようになっている。
【００３２】
なお、図６では、投射用光源部５４から指標表示部５８に向かう光が細線の矢印で示されている。
【００３３】
表示ユニット５２の指標表示部５８は、指標５８ａを表示可能に形成されている。具体的に、指標表示部５８は、画像表示パネル４２のうち回転指示体７０側の一部（以下、共有エリアＪＡという）を、画像表示部４０と共有して設けられている。そして、指標５８ａは、画像表示パネル４２の画像により、回転指示体７０を中心とした部分円弧状に配列された目盛として表示されるようになっている。ここで、指標表示部５８では、暗色の背景に明色の指標５８ａを表示することが好ましい。投射光ＰＬ１が指標５８ａと重なって表示される際、背景とのコントラストが大きくなり投射光ＰＬ１の視認性が高まるからである。
【００３４】
次に、表示ユニット６２について詳細を説明する。表示ユニット６２の投射用光源部６４は、表示ユニット６２と同様に、基板２０上に配置された複数の発光素子を有している。表示ユニット６２と同様に発光素子は、発光ダイオード素子であり、制御回路８０を通して電源と接続されることで発光する。このような投射用光源部６４は、表示ユニット６２の投射部６６に向けて光を照射可能となっている。
【００３５】
投射用光源部６４から投射部６６に至る光路のうち、基板２０から表示板２５までの間は、遮光壁６５に囲まれている。遮光壁６５は、例えば合成樹脂により、遮光性の半円筒状に形成され、投射用光源部６４からの光が遮光壁６５より外側に漏光することを遮光により防止している。
【００３６】
ここで、表示ユニット５２の遮光壁５５と表示ユニット６２の遮光壁６５とは、回転軸７４を挟んで左右に離れて配置されている。したがって、表示ユニット５２の投射用光源部５４と表示ユニット６２の投射用光源部６４とは、遮光壁５５，６５により互いに隔てられている。
【００３７】
表示ユニット６２の投射部６６は、空洞部７８ａよりも回転指示体７０内部の左側に配置され、対応する開口窓７２ｂを向く反射面６６ａを有している。反射面６６ａは、回転指示体７０の回転軸７４を中心とした部分円弧状の滑らかな平面として、回転指示体７０の径方向に２分割されて設けられている。こうして投射部６６は、投射用光源部６４からの光を反射面６６ａにより反射することにより、開口窓７２ｂから指標表示部６８へ向けて投射光ＰＬ２として投射するようになっている。
【００３８】
なお、図６では、投射用光源部６４から指標表示部６８に向かう光が細線の矢印で示されている。
【００３９】
表示ユニット６２の指標表示部６８は、表示ユニット５２と同様に、指標６８ａを表示可能に形成されている。具体的に、指標表示部６８は、指標６８ａ、指標照明光源６８ｂ、及び間接照明板６８ｅを有している。
【００４０】
指標６８ａは、表示板２５において、例えば印刷等により、回転指示体７０を中心とした部分円弧状に配列された目盛として形成されている。指標６８ａは、表示板２５と共に透光性を有していることにより、背面側から照明されることで発光可能となっている。指標照明光源６８ｂは、例えば発光ダイオード素子であり、基板２０上に配置されている。指標照明光源６８ｂは、点灯すると、リフレクタ６８ｃ及び導光板６８ｄにて導光された光により、指標６８ａを背面側から照明するようになっている。
【００４１】
これと共に、指標照明光源６８ｂからの光は、表示板２５の開口部２５ａを介して間接照明板６８ｅに入射する。間接照明板６８ｅは、例えば上述の表示板２５の圧空成形により、表示板２５と一体的に、視認側に突出して設けられている。指標６８ａ及び開口部２５ａを向く反射面６８ｆにより、間接照明板６８ｅは、開口部２５ａを透過した光を指標６８ａに向けて反射するようになっている。
【００４２】
こうして、指標照明光源６８ｂの点灯により、指標６８ａは表示状態となる。一方、指標照明光源６８ｂの消灯により、指標６８ａは照明されなくなり、さらにケース部１０の透光板１６が着色されているため、印刷の見分けが付き難くなり、非表示状態となる。
【００４３】
ここで互いに異なる表示ユニット５２，６２に属する指標表示部５８，６８が表示する指標５８ａ，６８ａは、互いに回転指示体７０からの距離Ｄ１，Ｄ２が異なる位置に表示されるようになっている。特に本実施形態では、指標表示部５８の指標５８ａについての距離Ｄ１が、表示ユニット６２の指標６８ａについての距離Ｄ２よりも大きくなっている。
【００４４】
そして、互いに異なる表示ユニット５２，６２に属する投射部５６，６６は、対応する指標５８ａ，６８ａの位置に合わせて投射角を異ならせて投射光ＰＬ１，ＰＬ２を投射するようになっている。ここで、投射角とは、回転指示体７０の軸方向に対して投射方向ＤＰ１，ＤＰ２がなす角度である。特に本実施形態では、距離Ｄ１，Ｄ２に対応して、表示ユニット５２の投射部５６の投射角は、表示ユニット６２の投射部６６の投射角よりも大きくなっている。
【００４５】
図８に示す制御回路８０は、ＣＰＵ及びメモリ等からなる電子回路であり、基板上に実装されている。ＣＰＵは、メモリに記憶されているコンピュータプログラムを実行することで、各種処理を実施可能となっている。具体的に、制御回路８０は、円形表示部３０のステッピングモータ３６ｄ及び投射用光源部５４、切替表示部５０のステッピングモータ７６、投射用光源部６４、及び指標照明光源６８ｂ、画像表示部４０と切替表示部５０とに一部共有されている画像表示パネル４２等と、電気的に接続されることで、これらを制御可能となっている。
【００４６】
ここで装置１００は、制御回路８０により構築されている機能ブロックとして、初期設定部８２、判定部８４、切替部８６を備えている。初期設定部８２は、装置１００が作動開始した場合に、初期設定を行なうようになっている。判定部８４は、切替部８６による表示の切替を行なうか否かを判定するようになっている。切替部８６は、切替表示部５０において、表示を行なう表示ユニット５２，６２を切り替えることが可能となっている。
【００４７】
このような装置１００により実施される処理を、図９のフローチャートに基づいて説明する。
【００４８】
まず、装置１００が作動を開始すると、ステップＳ１０では、初期設定部８２は、初期設定として、表示を行なう表示ユニットを表示ユニット５２に設定する。具体的に、表示ユニット５２の投射用光源部５４を点灯させ、表示ユニット５２の指標表示部５８において指標５８ａを表示する。一方、表示ユニット６２の投射用光源部６４を消灯させ、表示ユニット６２の指標表示部６８において指標６８ａを非表示状態とする。
【００４９】
そして、回転指示体７０は、指標表示部５８の指標５８ａに合わせて、制御回路８０により回動を制御される。すなわち、回転指示体７０の回動により、表示ユニット５２の投射部５６による投射光ＰＬ１の投射方向ＤＰ１を移動させることで、画像表示パネル４２の共有エリアＪＡに表示された指標表示部５８の指標５８ａのうち任意の箇所を指示して、当該箇所に応じた状態量が表示される。より具体的には、投射光ＰＬ１が部分円弧状に配列された目盛と重なって視認されることで、視認者は、目盛との重なり箇所に応じた燃料残量を読み取ることができる。
【００５０】
本実施形態では、図１０に示すように、画像表示パネル４２の共有エリアＪＡにおいて指標表示部５８が指標５８ａを表示している結果、画像表示パネル４２の共有エリアＪＡ以外において、画像表示部４０が例えば車速等の車両の状態量又は情報を表示するようになっている。ステップＳ１０の処理後、ステップＳ２０へ移る。
【００５１】
ステップＳ２０では、判定部８４は、緊急表示を開始するか否かを判定する。例えば、車両が前方等に接近する障害物を検知した場合に、緊急表示を開始することを決定することができる。ステップＳ２０にて肯定判定を下すと、ステップＳ３０へ移る。ステップＳ２０にて否定判定を下すと、例えば所定時間後に、ステップＳ２０の判定を再度行う。
【００５２】
緊急表示を開始すると判定された場合のステップＳ３０では、切替部８６は、表示を行なう表示ユニットを表示ユニット５２から表示ユニット６２へと切り替える。具体的に、切替部８６は、各投射用光源部５４，６４のうち投射用光源部６４を点灯させ、それ以外の投射用光源部５４を消灯させる。これと連動して、指標表示部５８において指標５８ａを非表示状態とし、指標表示部６８において指標６８ａを表示状態とする。
【００５３】
したがって、図１１に示すように、表示ユニット５２において、開口窓７２ａから指標表示部５８の指標５８ａへ向けた投射光ＰＬ１が投射されなくなり、表示ユニット６２において、開口窓７２ｂから指標表示部６８の指標６８ａへ向けた投射光ＰＬ２が投射を開始する。
【００５４】
これと共に、回転指示体７０は、指標表示部６８の指標６８ａに合わせて、制御回路８０により回動を制御される。すなわち、回転指示体７０の回動により、表示ユニット６２の投射部６６による投射光ＰＬ２の投射方向ＤＰ２を移動させることで、表示板２５に表示された指標表示部６８の指標６８ａのうち任意の箇所を指示して、当該箇所に応じた状態量が表示される。より具体的には、表示ユニット５２の場合と同様に、投射光ＰＬ２が部分円弧状に配列された目盛と重なって視認されることで、視認者は、目盛との重なり箇所に応じた燃料残量を読み取ることができる。
【００５５】
一方、対応する投射用光源部５４が消灯して指標５８ａが非表示状態となった指標表示部５８では、指標５８ａ以外の画像を表示する。具体的に本実施形態では、指標５８ａ以外の画像ＷＩとして、警報に関する画像が表示される。すなわち、画像表示部４０が共有エリアＪＡも利用することで、警報に関する画像を大きく表示することができる。ステップＳ３０の処理後、ステップＳ４０へ移る。
【００５６】
ステップＳ４０では、判定部８４は、緊急表示を終了するか否かを判定する。ステップＳ４０にて肯定判定を下すと、ステップＳ５０へ移る。ステップＳ４０にて否定判定を下すと、例えば所定時間後に、ステップＳ４０の判定を再度行う。
【００５７】
緊急表示を終了すると判定された場合のステップＳ５０では、切替部８６は、表示を行なう表示ユニットを表示ユニット６２から表示ユニット５２へと切り替える。すなわち、ステップＳ２０と同様の動作により、再びステップＳ１０で設定された状態へ戻ることとなる。ステップＳ５０の処理後、ステップＳ６０へ移る。
【００５８】
ステップＳ６０では、装置１００の作動を終了するか否かを判定する。ステップＳ６０において肯定判定を下すと、一連の処理を終了する。ステップＳ６０にて否定判定を下すと、再度ステップＳ２０へ戻る。
【００５９】
（作用効果）
以上説明した本実施形態の作用効果を、以下に説明する。
【００６０】
本実施形態によると、各表示ユニット５２，６２は、それぞれ１組の光源部５４，６４、投射部５６，６６、及び指標表示部５８，６８を有している。光源部５４又は６４からの光を投射部５６又は６６が指標表示部５８又は６８に表示される指標５８ａ又は６８ａへ向けて投射光ＰＬ１又はＰＬ２として投射する表示ユニット５２，６２は、対応する光源部５４又は６４が点灯している場合、回転指示体７０の回動により投射光ＰＬ１又はＰＬ２の投射方向ＤＰ１又はＤＰ２を移動することで、対応する指標５８ａ又は５８ｂのうち任意の箇所を指示して当該箇所に応じた状態量を表示する。
【００６１】
一方、表示を行なう表示ユニット５２，６２の切替時には、切替部８６が各光源部５４，６４のうち１つを点灯させ、それ以外を消灯させるように、点灯対象の光源部５４，６４を切り替える。このように、斬新な投射光ＰＬ１，ＰＬ２による指示が行われるだけでなく、通常時の回転指示体７０の回動とは異なる切替動作として、点灯対象の光源部の変更により、指示に供される当該投射光ＰＬ１，ＰＬ２が切替わるので、切替時に視認者に与えるインパクトが大きくなる。したがって、視認者が表示の切替に気付き易い車両用表示装置１００を提供することができる。
【００６２】
また、本実施形態によると、指標表示部５８，６８の指標５８ａ，６８ａは、対応する光源部５４，６４の消灯と連動して、非表示状態となる。点灯対象の光源部５４，６４の変更と連動して、指標５８ａ，６８ａの表示状態も変更されるので、切替時に視認者に与えるインパクトをより大きくできる。
【００６３】
また、本実施形態によると、互いに異なる表示ユニット５２又は６２に属する投射部５６又は６６は、対応する指標５８ａ又は６８ａの互いに回転指示体７０からの距離Ｄ１，Ｄ２が異なる位置に合わせて投射角を異ならせている。こうすることで、複数の指標表示部５８，６８による指標５８ａ，６８ａの全体配置を、実体の指針の場合のような円形に限らない配置とすることが可能となるので、配置の自由度を高めつつ、視認者が表示の切替に気付き易くすることができる。
【００６４】
また、本実施形態によると、遮光性の遮光壁５５，６５により、各光源部５４，６４が互いに隔てられているので、一光源部５４又は６４の光が異なる表示ユニット６２又は５２に漏光することが抑制できる。したがって、点灯対象の光源部５４，６４の変更に合わせて、確実に投射光ＰＬ１，ＰＬ２を切り替えることができる。
【００６５】
また、本実施形態によると、各投射部５６，６６を一体的に形成する導光部材７８は、各投射部５６，６６を区画する空洞部７８ａを有する。空洞部７８ａが投射部５６，６６の間を区画することにより、点灯対象の光源部５４又は６４に対応する投射部５６又は６６に入射した光が、異なる表示ユニット６２又は５２に漏光することを抑制できる。したがって、部品点数を抑制しつつ、点灯対象の光源部５４，６４の変更に合わせて、確実に投射光ＰＬ１，ＰＬ２を切り替えることができる。
【００６６】
また、本実施形態によると、各指標表示部５８，６８のうち少なくとも指標表示部６８は、画像により指標６８ａを表示するものである。対応する光源部６４が消灯している場合、この指標表示部６８が指標以外の画像ＷＩを表示するので、指標表示部６８のスペースを有効活用できるだけでなく、切替時に突如指標６８ａが表示されることで視認者に与えるインパクトをより大きくできる。
【００６７】
また、本実施形態によると、対応している光源部６４が消灯している場合、指標表示部６８が指標６８ａ以外の画像ＷＩとして、警報に関する画像を表示する。点灯対象の光源部６４への変更と共に、警報に関する画像が表示されることとなるので、視認者が警報表示に気づき易い車両用表示装置１００を提供することができる。
【００６８】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００６９】
具体的に変形例１としては、各投射部５６，６６は、それぞれ別体で形成されていてもよい。
【００７０】
変形例２としては、互いに異なる表示ユニット５２，６２に属する指標表示部５８，６８が表示する指標５８ａ，６８ａは、互いに回転指示体７０からの距離Ｄ１，Ｄ２が同じ位置に表示されていてもよい。また各投射部５６，６６の投射角が同じであってもよい。
【００７１】
変形例３としては、各指標表示部５８，６８は、対応する投射用光源部５４，６４が消灯した場合に、指標５８ａ，６８ａを非表示状態としなくてもよい。
【００７２】
変形例４としては、切替部８６は、緊急表示の開始及び終了以外の契機にて、表示を行なう表示ユニット５２，６２を切り替えてもよい。
【００７３】
変形例５としては、各指標表示部の全てが画像により指標を表示するものであってもよい。また、各指標表示部の全てが画像以外により指標を表示するものであってもよい。
【００７４】
前述の実施形態では各表示ユニット５２，６２が、車両の状態量として同じ燃料残量を表示していたが、変形例６として各表示ユニット５２，６２は、互いに異なる車両の状態量を表示するものであってもよい。
【００７５】
変形例７としては、表示ユニットは、３つ以上設けられていてもよい。この例では、切替部８６は、投射用光源部のうち１つを点灯させ、それ以外を消灯させるように、点灯対象の光源部を切り替えることで、表示を行なう表示ユニットを切り替える。
【符号の説明】
【００７６】
５２，６２  表示ユニット、５４，６４  投射用光源部（光源部）、５５，６５  遮光壁、５６，６６  投射部、５６ａ，６６ａ  反射面、５８，６８  指標表示部、５８ａ，６８ａ  指標、７０  回転指示体、７８  導光部材、７８ａ  空洞部、８６  切替部、ＰＬ１，ＰＬ２  投射光、ＤＰ１，ＤＰ２  投射方向、Ｄ１，Ｄ２  距離、ＷＩ  画像
【図１】
0006531657.tif 000002
【図２】
0006531657.tif 000003
【図３】
0006531657.tif 000004
【図４】
0006531657.tif 000005
【図５】
0006531657.tif 000006
【図６】
0006531657.tif 000007
【図７】
0006531657.tif 000008
【図８】
0006531657.tif 000009
【図９】
0006531657.tif 000010
【図１０】
0006531657.tif 000011
【図１１】
0006531657.tif 000012